【事件の表示】
　特願２００１−　７５９５１「パチンコ機」拒絶査定不服審判事件〔平成１３年１０月　９日出願公開、特開２００１−２７６３２７〕について、次のとおり審決する。
【結　論】
　本件審判の請求は、成り立たない。
【理　由】
１．手続きの経緯
　本願は、平成１０年５月２７日に出願された特願平１０−１４６２２１号の一部を新たに平成１３年３月１６日に特許出願としたものであって、平成１７年１０月１９日付の拒絶理由が通知され、これに対して平成１７年１２月２７日付の意見書および手続補正書が提出され、平成１８年３月２日付で拒絶査定がなされ、これに対して平成１８年４月２７日に拒絶査定に対する審判請求がなされるとともに、平成１８年５月２９日付で手続補正がなされ、平成２０年３月１７日付で審尋がなされ、平成２０年５月７日付の回答書が提出されたものである。
　　　　　　　　　　　　　　　　　　　　　　　　　　　　　　　
２．平成１８年５月２９日付の手続補正についての補正却下の決定
［補正却下の決定の結論］
　平成１８年５月２９日付の手続補正を却下する。
　　　　　　　　　　　　　　　　　　　　　　　　　　　　　　　　
［理由］
［１］補正の内容と補正の適否
　平成１８年５月２９日付の手続補正（以下、「本件補正」という。）は、平成１７年１２月２７日付の手続補正された下記１）の特許請求の範囲の請求項１を、下記２）の特許請求の範囲の請求項１とするものである。
　　　　　　　　　　　　　　　　　　　　　　　　　　　　　　
１）平成１７年１２月２７日付の手続補正による特許請求の範囲　　　　　　　　　　　　　　　　　　　　　　　　　　
　「【請求項１】　各種のデータを格納するＲＯＭ、ＲＯＭに格納されたデータに従って各種の制御動作を実行するマイクロプロセッサとを有する制御基板を備えたパチンコ機において、
　前記制御基板は基板ボックスに収納され、前記ＲＯＭは該ＲＯＭに格納された各種データをチェックするＲＯＭチェッカとチェック用端子によって制御信号ライン及びデータ信号ラインを介して接続され、
　前記ＲＯＭに格納された各種データの内、所定のデータ内容のチェックを制御するチェック制御信号が前記チェック用端子を介して前記ＲＯＭチェッカからＲＯＭに出力され、
　前記ＲＯＭは前記チェック制御信号に基づきＲＯＭに格納された所定のデータを該ＲＯＭと前記マイクロプロセッサとを接続するデータ信号ラインに接続されたチェック用端子を介して前記ＲＯＭチェッカに送出し、
　このＲＯＭから送出された所定のデータをチェックする前記ＲＯＭチェッカが、前記基板ボックスを閉じた状態で前記チェック用端子と接続されることを特徴とするパチンコ機。　」
　　　　　　　　　　　　　　　　　　　　　　　　　
２）平成１８年５月２９日付の手続補正による特許請求の範囲
　「【請求項１】　各種のデータを格納するＲＯＭ、ＲＯＭに格納されたデータに従って各種の制御動作を実行するマイクロプロセッサとを有する制御基板を備えたパチンコ機において、
　前記制御基板は基板ボックスに収納され、
　前記ＲＯＭは該ＲＯＭに格納された各種データをチェックするＲＯＭチェッカとチェック用端子によって制御信号ライン及びデータ信号ラインを介して接続され、
　前記ＲＯＭに格納された各種データの内、所定のデータ内容のチェックを制御するチェック制御信号が前記チェック用端子を介して前記ＲＯＭチェッカからＲＯＭに出力され、
　前記ＲＯＭは前記チェック制御信号に基づきＲＯＭに格納された所定のデータを該ＲＯＭが前記マイクロプロセッサに送出するのと同じデータ信号ラインを利用して、接続されたチェック用端子を介して前記ＲＯＭチェッカに送出し、
　このＲＯＭから送出された所定のデータをチェックする前記ＲＯＭチェッカが、前記基板ボックスを閉じた状態で前記チェック用端子と接続されることを特徴とするパチンコ機。　」（以下、「本願補正発明」という。）
　　　　　　　　　　　　　　　　　　　　　　　　　　　　
３）補正の適否　　　　　　　　　　　　　　　　　　　　
　本願補正発明は、補正前の請求項１の「前記ＲＯＭは前記チェック制御信号に基づきＲＯＭに格納された所定のデータを該ＲＯＭと前記マイクロプロセッサとを接続するデータ信号ラインに接続されたチェック用端子を介して前記ＲＯＭチェッカに送出し」の「と」を「が」に、「とを接続する」を「に送出するのと同じ」とし、次いで、「に」を「を利用して、」として、「前記ＲＯＭは前記チェック制御信号に基づきＲＯＭに格納された所定のデータを該ＲＯＭが前記マイクロプロセッサに送出するのと同じデータ信号ラインを利用して、接続されたチェック用端子を介して前記ＲＯＭチェッカに送出し、」としたものであるから、本件補正は、特許請求の範囲を減縮するものである。
　　　　　　　　　　　　　　　　　　　　　　　　　　　　　　　　
　したがって、本件補正は、平成１８年法律第５５号改正附則第３条第１項によりなお従前の例によるとされる同法による改正前の特許法第１７条の２第４項第２号の規定に適合する補正と認められる。
　　　　　　　　　　　　　　　　　　　　　　　　　　　　　　　　　
　そこで、本願補正発明が、特許出願の際独立して特許を受けることができるものであるか（上記改正前の特許法第１７条の２第５項において準用する同法第１２６条第５項に適合するか）について以下に検討する。
　　　　　　　　　　　　　　　　　　　　　　　　　　　　　　　
［２］本願補正発明の独立特許要件の適否
（１）引用例について　　　　　　　　　
１）先の拒絶理由に引用された特開平９−２４８３６４号公報（以下、「引用例１」という。）には、以下の技術事項が記載されている。
・記載事項１
　「　(57)【要約】
【課題】  遊技制御内容情報の検査を容易に行なうことが可能な遊技機を提供することである。
【解決手段】  遊技制御基板ボックス５４の内部に遊技制御用基板１１３を収納し、その遊技制御基板ボックス５４を開封不可能な構造にする。さらに、遊技制御基板ボックス５４内にＲＯＭ読出送信指令を受ける受信回路３００と、遊技制御用のＲＯＭ９８ａに記憶されたデータを外部へ送信する送信回路３０１を設ける。そして、受信回路３００がＲＯＭ読出送信指令を受けた場合に、ＲＯＭ９８ａに記憶されている遊技制御用プログラムが送信回路３０１から遊技制御基板ボックス５４の外部へ送信される。」
・記載事項２
　「【００４６】次に、パチンコ遊技機３４の遊技制御用基板１１３に用いられる制御回路について説明する。図４および図５は、遊技制御用基板１１３の制御回路の構成を示すブロック図である。
【００４７】図４および図５を参照して、制御回路は、基本回路６６、入力回路６７、ＬＥＤ回路６８、ソレノイド回路６９、アドレスデコード回路７０、定期リセット回路７１、初期リセット回路７２、情報出力回路７３、電飾信号回路７４、ＣＲＴ回路７５、ランプ回路７６、電源回路７７、受信回路３００、送信回路３０１を含む。
【００４８】基本回路６６は、制御用プログラムに従ってパチンコ遊技機の各種機器を制御する。基本回路６６の内部には、遊技制御用プログラムなどを記憶しているＲＯＭと、その遊技制御用プログラムに従って制御動作を行なうためのＣＰＵと、ＣＰＵのワーク用メモリとして機能するＲＡＭと、Ｉ／Ｏポートと、クロック発生回路とが含まれている。なお、基本回路６６の内部構成については、ここでは図示を省略し、後述する。」
・記載事項３
　「【００５９】受信回路３００は、後述するリモコン装置５００からＲＯＭ読出送信指令を受信し、その受信結果の情報を基本回路６６へ与える。送信回路３０１は、遊技機制御用のＲＯＭに記憶された遊技制御用プログラムを基本回路６６から受け、受けた遊技制御用プログラムを遊技制御基板ボックス５４の外部へ送信するものであり、遊技制御用プログラムを一旦記憶する記憶部３０１ａを含んでいる。」
・記載事項４
　「【０１３９】図１９は、遊技制御用プログラムの通信読出しを行なうためのシステムの全体構成を示すブロック図である。
【０１４０】図１９を参照して、遊技制御用プログラムの通信に際しては、リモコン装置５００が用いられる。そのリモコン装置５００は、検査者により携帯可能なものである。リモコン装置５００は、送信回路５０１、受信回路５０２、操作回路５０３、表示回路５０４、および、制御回路５０５を含む。送信回路５０１は、パチンコ遊技機３４からの制御用プログラム（以下ＲＯＭデータともいう）の送信を指示するための信号であるＲＯＭ読出送信指令を送信するためのものである。ＲＯＭ読出送信指令は、赤外線を用いた赤外線信号であり、その赤外線信号が送信回路５０１から発信される。受信回路５０２は、パチンコ遊技機３４の送信回路３０１から送信されたＲＯＭデータを示す赤外線信号を受信するためのものである。
【０１４１】操作回路５０３は、リモコン装置５００を操作するための操作スイッチを有する回路であり、検査者がその操作スイッチを操作することにより、リモコン装置５００が動作させられる。表示回路５０４は、表示部を有し、リモコン装置５００の動作に関する情報を表示するためのものである。表示回路５０４の表示部には、主に、パチンコ遊技機３４から送信されてきた遊技制御用プログラムが一定の基準に合格した健全な遊技を行なうことができるものであるか否かの検査結果が表示される。制御回路５０５は、送信回路５０１、受信回路５０２、操作回路５０３、および、表示回路５０４に電気的に接続されており、リモコン装置５００の全般的な制御を行なうためのものである。
【０１４２】次に、リモコン装置５００を用いた遊技制御用プログラムの通信読出しの動作を具体的に説明する。パチンコ遊技機３４から遊技制御用プログラムを通信により読出す場合には、検査者がリモコン５００の操作回路５０３の操作スイッチを操作することにより、遊技制御用プログラムの通信を行なうための指令を制御回路５０５に与える。その指令信号に応答して制御回路５０５は、送信回路５０１からＲＯＭ読出送信指令を送信させるための制御信号を送信回路５０１へ与える。そして、その制御信号に応答して、送信回路５０１からＲＯＭ読出送信指令がパチンコ遊技機３４の受信回路３００へ向けて送信される。」
・記載事項５
　「【０１４３】パチンコ遊技機３４においては、リモコン装置５００の送信回路５０１から送信されたＲＯＭ読出送信指令を受信回路３００が受信する。受信回路３００は、ＲＯＭ読出送信指令を受けた場合に、その指令を受けた旨を示す信号をＣＰＵ９６ａ（９６ｂ）に与える。ＣＰＵ９６ａ（９６ｂ）は、ＲＯＭ読出送信指令を受信したことを示す信号が受信回路３００から与えられた場合に、図２０を用いて後述する情報送信処理を実行する。その情報送信処理が実行されることにより、遊技制御用のＲＯＭ９８ａ（９８ｂ）から遊技制御用プログラム（ＲＯＭデータ）がＣＰＵ９６ａ（９６ｂ）に読出され、その遊技制御用プログラムと、送信回路３０１にＲＯＭデータを受付けさせるためのデータ受付信号とが送信回路３０１に与えられる。
【０１４４】送信回路３０１は、ＣＰＵ９６ａ（９６ｂ）からデータ受付信号を受けたことに応答してＲＯＭデータを記憶部３０１ａに書込むとともに、その書込んだＲＯＭデータを赤外線信号に変換して遊技制御基板ボックス５４の外部へ向けて送信する。
【０１４５】リモコン装置５００においては、受信回路５０２が、パチンコ遊技機３４の送信回路３０１から送信されたＲＯＭデータを受信する。受信回路５０２は、受信した赤外線信号を電気信号に変換することにより、受信したＲＯＭデータを制御回路５０５へ与える。制御回路５０５は、受信回路５０２から受けたＲＯＭデータが、一定の基準に合格した健全な遊技を行なうことができる遊技制御用プログラムであるか否かを判断する処理を行なう。
【０１４６】制御回路５０５は、そのように判断したＲＯＭデータのチェック結果を表示するための信号を表示回路５０４へ与える。表示回路５０４は、制御回路５０５から与えられたＲＯＭデータのチェック結果を表示する。このように、リモコン装置５００においては、表示回路５０４により表示されたＲＯＭデータのチェック結果を検査者が見ることにより、パチンコ遊技機３４のＲＯＭ９８ａ（９８ｂ）に記憶されている遊技制御用プログラム（ＲＯＭデータ）が不正改造されたものであるか否かを確認することができる。」
・記載事項６
　「【０１５８】次に、遊技制御基板ボックス５４の具体的な構造を説明する。図２２は、遊技制御基板ボックス５４の分解斜視図である。
【０１５９】遊技制御基板ボックス５４は、ボックス本体２００、ボックス裏面カバー部２０９およびボックス本体カバー部２０１を備えている。ボックス本体２００は、合成樹脂よりなり、上部に開口部を有する箱形状をなしている。ボックス裏面カバー部２０９は、合成樹脂製の板状の部材である。ボックス本体カバー部２０１は、合成樹脂製の透明な板状の部材である。
【０１６０】ボックス裏面カバー部２０９は、ボックス本体２００の底面にボックス本体２００の内側から取付けられ、外側からは取外せないようになっている。遊技制御用基板１１３は、ボックス本体２００内において、ボックス裏面カバー部２０９上に取付けられる。遊技制御用基板１１３は、ボックス裏面カバー部２０９を介してボックス本体２００の底面上にねじ止めによって固定される。
【０１６１】遊技制御用基板１１３上には、ＣＰＵ９６ａ、ＲＡＭ９７ａ、ＲＯＭ９８ａ、ＣＰＵ１００、ＲＯＭ１０１、ＲＡＭ１０２、受信回路３００、および、送信回路３０１等の電気部品が取付けられている。」
　　　　　　　　　　　　　　　　　　　　　　　　　　　　
　以上の記載事項１〜６及び図１９、図２２によれば、
　　　　　　　　　　　　　　　　　　　　　　
　　「データや遊技制御用プログラム（ＲＯＭデータ）を記憶した　パチンコ遊技機３４のＲＯＭ９８ａ、同ＲＯＭ９８ａに記憶したデータに従って各種の制御動作を実行するＣＰＵ９６ａを有する遊技用制御基板１１３を備え、
　遊技用制御基板１１３は、遊技制御基盤ボックス５４に収納され、
　前記ＲＯＭ９８ａは、前記ＲＯＭ９８ａに記憶したデータや遊技制御用プログラム（ＲＯＭデータ）をチェックするリモコン装置５００とリモコン装置５００の送信回路５０１と受信回路５０２と、遊技用制御基板１１３の受信回路３００と送信回路３０１とによって赤外線信号を介して接続され、
　前記ＲＯＭ９８ａに記憶されたデータや遊技制御用プログラム（ＲＯＭデータ）の内、遊技制御用プログラムのチェックを制御するＲＯＭ読出送信指令が前記送信回路５０１と受信回路３００を介して前記リモコン装置５００からＲＯＭ９８ａに出力され、
　前記ＲＯＭ９８ａは、前記ＲＯＭ読出送信指令に基づきＲＯＭ９８ａに記憶された遊技制御用プログラムを該ＲＯＭ９８ａが赤外線信号を利用して、接続された前記送信回路３０１と受信回路５０２を介して前記リモコン装置５００に送出し、
　このＲＯＭ９８ａら送出された遊技制御用プログラムをチェックする前記リモコン装置５００が、前記遊技制御基盤ボックス５４を赤外線で接続される遊技機。」　（以下、「引用例１発明」という。）
　　　　　　　　　　　　　　　　　　　　　　　　　　　　　　
２）先の拒絶査定の理由に引用された特開平８−３２３０２９号公報（以下、「引用例２」という）
　「演算制御装置１３内の遊技状態情報Ｓ’を読み出す検査機１５と遊技機の演算制御装置１３の間において、赤外線または通信線３１により、双方向に情報のやりとりを行い、通信線３１を用いる際には、通信ポート２９、３０を介して、検査機１５と遊技機の演算制御装置１３を接続する遊技機。」（以下、「引用例２に記載の技術」という。）
　　　　　　　　　　　　　　　　　　　　　　　　　　　　
３）周知慣用技術
　「制御信号ラインとデータ信号ラインからなる通信線の両端もしくは一端を端子を用いて、装置間を双方向データ通信可能に接続すること。」例えば、下記４）の特開平９−２３９１２９号公報には、データ、アドレス情報を転送することおよびリード線４の一端をコネクタ１２で接続することが記載されている。（段落【００１７】〜【００１９】、図１、図９）（以下、「周知慣用技術」という。）
　　　　　　　　　　　　　　　　　　　　　　　　　　　　　　　　
４）周知技術
　特開平９−２３９１２９号公報、特開平９−２２０３１７号公報および特開平８−４７５６６号公報等
　「遊技制御回路基板においてＲＯＭとＣＰＵの間、もしくは前記ＲＯＭやＣＰＵと外部装置との間において、相互にもしくは一方に信号を伝達する際に、遊技制御回路基板においてバスを用いて、双方向信号をやりとりすること。」（以下、「周知技術」という。）
　　　　　　　　　　　　　　　　　　　　　　　　　　　　
（２）対比
　引用例１発明と本願補正発明を対比すると、引用例１発明の「データや遊技制御用プログラム（ＲＯＭデータ）」は、本願補正発明の「各種のデータ」に相当し、以下同様に、「記憶」は「格納」に、「パチンコ遊技機３４のＲＯＭ９８ａ」は「ＲＯＭ」に、「ＣＰＵ９６ａ」は「マイクロプロセッサ」に、「遊技用制御基板１１３」は「制御基板」に、「遊技制御基盤ボックス５４」は「基板ボックス」に、「リモコン装置５００」は「ＲＯＭチェッカ」に、「遊技機」は「パチンコ機」に、それぞれ相当している。
　　　　　　　　　　　　　　　　　　　　　　　　　
　そして、引用例１発明については、以下のことがいえる。
１）引用例１の記載事項１の【要約】の「・・・【解決手段】遊技制御基板５４の内部に遊技制御用基板１１３を収納し、その遊技制御基板ボックス５４を開封不可能な構造にする。・・・」なる記載に基づけば、遊技用制御基板１１３は、遊技制御基盤ボックス５４に開封不可能な状態で収納されていることは明らかであり、また、そうである以上、リモコン装置５００が開封不可能な状態で、言い換えると遊技制御基盤ボックス５４を閉じた状態で、リモコン装置５００の送信回路５０１と受信回路５０２と、遊技用制御基板１１３の受信回路３００と送信回路３０１とが接続されていると解される。
　そして、上記に示したように、「遊技用制御基板１１３」は「制御基板」に、「遊技制御基盤ボックス５４」は「基板ボックス」に、「リモコン装置５００」は「ＲＯＭチェッカ」に、相当している。
　そうすると、引用例１発明は、実質的に「制御基板は、開封不可能な基板ボックスに収納され、」なる構成および「ＲＯＭチェッカが、前記基板ボックスを閉じた状態で前記ＲＯＭチェッカと、遊技用制御基板１１３とが接続される」なる構成を備えているということができる。
　　　　　　　　　　　　　　　　　　　　　　　　
　上記の点を考慮すると、本願補正発明と引用例１発明は、
　　　　　　　　　　　　　　　　　　　　　　　　　　
　「各種のデータを格納するＲＯＭ、ＲＯＭに格納されたデータに従って各種の制御動作を実行するマイクロプロセッサとを有する制御基板を備え、
　制御基板は、基板ボックスに収納され、
　前記ＲＯＭは、該ＲＯＭに格納された各種のデータをチェックするＲＯＭチェッカと接続され、
　前記ＲＯＭに格納された各種データの内、所定のデータ内容のチェックを制御するチェック制御信号が前記ＲＯＭチェッカからＲＯＭに出力され、
　前記ＲＯＭは、前記チェック制御信号に基づきＲＯＭに格納された所定のデータを該ＲＯＭが前記ＲＯＭチェッカに送出し、
　このＲＯＭから送出された所定のデータをチェックする前記ＲＯＭチェッカが、前記基板ボックスを閉じた状態で接続されるパチンコ機。」の点で一致し、以下の点で相違していると認められる。
　　　　　　　　　　　　　　　　　　　　　　　　　　　
＜相違点１＞
　ＲＯＭチェッカとパチンコ機のＲＯＭとの間を双方向通信可能に接続する際に、本願補正発明においては、ＲＯＭチェッカとパチンコ機のＲＯＭにそれぞれ信号出力用チェック用端子と信号受信用チェック用端子を設け、ＲＯＭチェッカの制御信号出力用チェック端子とパチンコ機のＲＯＭの制御信号受信用チェック端子を制御信号ラインで接続するとともに、パチンコ機のＲＯＭのデータ信号出力用チェック端子とＲＯＭチェッカのデータ信号受信用チェック端子をデータ信号ラインで接続するものであるのに対して、引用例１発明においては、ＲＯＭチェッカとパチンコ機のＲＯＭにそれぞれ信号出力用送信回路５０１、３０１と信号受信用受信回路３００、５０２を設け、ＲＯＭチェッカの制御信号出力用送信回路５０１とパチンコ機のＲＯＭの制御信号受信用受信回路３００を赤外線で接続するとともに、パチンコ機のＲＯＭのデータ信号出力用送信回路３０１とＲＯＭチェッカのデータ信号受信用受信回路５０２を赤外線で接続する点。
　　　　　　　　　　　　　　　　　　　　　　　　　　　　　
＜相違点２＞
　所定のデータをパチンコ機の制御基板のＲＯＭからＲＯＭチェッカに送出する際に、本願補正発明においては、制御基板のマイクロプロセッサに送出するのと同じデータ信号ラインを利用しているのに対して、引用例１発明においては、遊技用制御基板上のマイクロプロセッサにデータを送出する信号ラインと同じラインを利用しているか否か不明な点。
　　　　　　　　　　　　　　　　　　　　　　　　　　　　　
（３）判断
　上記相違点１、２について、以下に検討する。
　　　　　　　　　　　　　　　　　　　　　　　　　　　　　　
＜相違点１について＞
　引用例２の図９には、双方向データ通信可能な通信線が示され、同図３、６、７の無線通信とは明確に区別されているのであるから、引用例２に記載の技術は、「演算制御装置１３内の遊技状態情報Ｓ’を読み出す検査機１５と遊技機の演算制御装置１３の間において、通信線３１により、双方向に情報のやりとりを行い、通信線３１を用いる際には、通信ポート２９、３０を介して、検査機１５と遊技機の演算制御装置１３を接続する遊技機。」が記載されていると言い換えできる。
　また、引用例２の演算制御装置が各種データを格納するＲＯＭを備えていることは例示するまでもない技術常識であり、双方向通信が可能となるべく、制御信号ラインとデータ信号ラインからなる通信線の両端を端子を用いて装置間を接続することは、２．［２］（１）３）で述べたように、周知慣用技術に過ぎない。
　そして、引用例１発明および引用例２に記載の技術はともに、パチンコ機の技術分野において、パチンコ機のＲＯＭのデータを外部より読み取る技術において関連するのであるから、相互に技術利用することに格別の困難性を見出すことはできない。
　そうすると、上記周知慣用技術を参酌しつつ、引用例１発明の赤外線通信に代えて、引用例２に記載の技術の通信線を適用し、その際に、ＲＯＭを備えた制御基板を有するパチンコ機とＲＯＭチェッカにそれぞれチェック端子を設けることにより、ＲＯＭの各種のデータを読み出すＲＯＭチェッカとＲＯＭを備えたパチンコ機のマイクロプロセッサの間において、制御信号ラインとデータ信号ラインにより、チェック用端子を介して、双方向の通信を行って、ＲＯＭチェッカとパチンコ機の制御基板のマイクロプロセッサのＲＯＭを接続すること、すなわち、本願補正発明の上記相違点１に係る構成となすことは、当業者が容易になし得る程度のことと言うことができる。
　　　　　　　　　　　　　　　　　　　　　　　　　　　　　　　
＜相違点２について＞
　遊技制御回路基板においてＲＯＭとＣＰＵの間、もしくは前記ＲＯＭやＣＰＵと外部装置との間において、相互にもしくは一方に信号を伝達する際に、遊技制御回路基板において共用バスを用いることは、２．［２］（１）４）で述べたように周知技術にすぎない。
　したがって、引用例１発明の信号線において、上記周知技術を適用して、遊技用制御回路基板のＣＰＵに信号を送出する信号線とＲＯＭチェッカへの信号を送出する信号線を共用するようにすること、すなわち本願補正発明の上記相違点２に係る構成となすことは、当業者が容易になし得る程度のことである。
　　　　　　　　　　　　　　　　　　　　　　　　　　　
（４）作用効果とまとめ
　本願補正発明によって奏する効果も、引用例１発明、引用例２に記載の技術および周知慣用技術並びに周知技術に基づいて、普通に予測できる範囲内のものであって格別のものがあると認められない。
　したがって、本願補正発明は、引用例１発明、引用例２に記載の技術および周知慣用技術並びに周知技術に基づいて、当業者が容易に想到することができたものであるから、特許法第２９条第２項により特許出願の際独立して特許を受けることができないものである。
　　　　　　　　　　　　　　　　　　　　　　　　　
（５）補正却下の判断
　上記のとおり、本願補正発明は、上記改正前の特許法第１７条の２第５項で準用する同法第１２６条第５項の規定に違反するものであるので、平成１８年５月２９日付の手続補正は、特許法第１５９条第１項で準用する同法第５３条第１項の規定により却下されるべきものである。
　　　　　　　　　　　　　　　　　　　　　　　　　　　　　　　
３．本願発明について
　本件拒絶理由と同日付の下記のとおりの平成１８年５月２９日付の手続補正に対する補正却下の決定により、平成１８年５月２９日付の手続補正は却下されたので、本願の請求項１に係る発明は、平成１７年１２月２７日付の手続補正書の特許請求の範囲の請求項１に記載された以下のとおりである（以下、「本願発明」という。）。
　「【請求項１】　各種のデータを格納するＲＯＭ、ＲＯＭに格納されたデータに従って各種の制御動作を実行するマイクロプロセッサとを有する制御基板を備えたパチンコ機において、
　前記制御基板は基板ボックスに収納され、前記ＲＯＭは該ＲＯＭに格納された各種データをチェックするＲＯＭチェッカとチェック用端子によって制御信号ライン及びデータ信号ラインを介して接続され、
　前記ＲＯＭに格納された各種データの内、所定のデータ内容のチェックを制御するチェック制御信号が前記チェック用端子を介して前記ＲＯＭチェッカからＲＯＭに出力され、
　前記ＲＯＭは前記チェック制御信号に基づきＲＯＭに格納された所定のデータを該ＲＯＭと前記マイクロプロセッサとを接続するデータ信号ラインに接続されたチェック用端子を介して前記ＲＯＭチェッカに送出し、
　このＲＯＭから送出された所定のデータをチェックする前記ＲＯＭチェッカが、前記基板ボックスを閉じた状態で前記チェック用端子と接続されることを特徴とするパチンコ機。」（以下、「本願発明」という。）
　　　　　　　　　　　　　　　　　　　　　　　　　　　　　　　
（１）引用例について
　引用例の記載事項は、上記２．［２］（１）引用例について記載したとおりである。
　　　　　　　　　　　　　　　　　　　　　　　　　　　　　　　
（２）対比・判断
　本願発明は、本願補正発明の請求項１の「前記ＲＯＭは前記チェック制御信号に基づきＲＯＭに格納された所定のデータを該ＲＯＭが前記マイクロプロセッサに送出するのと同じデータ信号ラインを利用して、接続されたチェック用端子を介して前記ＲＯＭチェッカに送出し、」の「が」を「と」に、「に送出するのと同じ」をと「とを接続する」し、次いで、「を利用して、」を「に」として、「前記ＲＯＭは前記チェック制御信号に基づきＲＯＭに格納された所定のデータを該ＲＯＭと前記マイクロプロセッサとを接続するデータ信号ラインに接続されたチェック用端子を介して前記ＲＯＭチェッカに送出し、」としたものである。
　そうすると、本願発明の構成要件をすべて含み、さらに他の構成要素を付加したものに相当する本願補正発明が、上記２．［２］（２）対比〜（４）作用効果およびまとめに記載したとおり、引用例１発明、引用例２に記載の技術および周知慣用技術並びに周知技術に基づいて、当業者が容易に発明することができたものであるので、特許法第２９条第２項の規定により特許を受けることができないものである。
　したがって、本願発明も、同様の理由により、引用例１発明、引用例２に記載の技術および周知慣用技術並びに周知技術に基づいて、当業者が容易に発明をすることができたものである。
　　　　　　　　　　　　　　　　　　　　　　　　　　　　
（３）むすび
　以上のとおり、本願発明は、引用例１発明、引用例２に記載の技術および周知慣用技術並びに周知技術に基づいて、当業者が容易に発明をすることができたものであるから、特許法第２９条第２項の規定により特許を受けることができない。
　よって、結論のとおり審決する。